(57)【特許請求の範囲】
【請求項１】
１ページ単位の画像データを出力する画像データ出力手段と、
この画像データ出力手段から出力される画像データを情報内容が異なる領域に分割し、分割された各領域の位置および大きさを示す場所情報とその領域内の情報内容を示す内容情報を対応させたインデックスデータを生成するインデックスデータ生成手段と、
前記画像データ出力手段から出力される画像データに対して前記インデックスデータ生成手段にて生成されたインデックスデータを付加して番組データを作成する番組データ作成手段と、
各画像データに対するインデックスデータと受信側での番組識別を可能とする番組番号を対応させて纏めることで番組表データを作成する番組表データ作成手段と、
この番組表データ作成手段により作成された番組表データと前記番組データ作成手段により作成された番組データとを受信側に対して送出するデータ送出手段と、
を備え、
前記インデックスデータ生成手段は、情報内容を表わすタイトル、情報内容の属するジャンルまたは情報内容を検索できるキーワードを内容情報としてインデックスデータを生成することを特徴とする情報伝送用送信装置。
【請求項２】
ユーザーによって指定された番組番号の番組データを入力して画像データとインデックスデータとを分離するデータ分離手段と、
このデータ分離手段により分離された画像データを記憶する第１の記憶手段と、
この第１の記憶手段に記憶された画像データの各領域のうちの選別されたものを記憶する第２の記憶手段と、
前記データ分離手段により分離された画像データの各領域がユーザーによって指定された内容情報に該当する領域であるか否かを前記データ分離手段により分離されたインデックスデータの内容情報に基づいて判定し、該当するものと判断すると、その領域を前記第２の記憶手段に書き込むとともに表示する制御手段と、
を備え、
前記制御手段は、複数ページの画像データにて散在する同一の情報内容を持つ領域だけを選別して同一ページに編集合成して表示することを特徴とする情報伝送用受信装置。
【発明の詳細な説明】
【０００１】
【発明の属する技術分野】
本発明は、２値画像を圧縮符号化して伝送するファクシミリ放送や、ＮＴＳＣサイズ、ハイビジョンサイズの自然画像を圧縮符号化して伝送する静止画放送などの画像データを提供する形態の放送に用いて好適な情報伝送用送信装置及び情報伝送用受信装置に関する。
【０００２】
［発明の概要］
この発明は、２値画像を圧縮符号化したファクシミリ画像（非圧縮画像を含む）、ＮＴＳＣサイズやハイビジョンサイズの自然画像を圧縮符号化した静止画像（非圧縮画像を含む）などを衛星放送データチャネルなどのディジタル伝送路を用いて伝送して受信側で画像として表示する放送システムや、新聞や雑誌などをＮＴＳＣ方式やＭＵＳＥ方式による画像信号として伝送する放送システムにおいて、画像内あるいは画像内で情報の内容が異なる領域を識別するために、領域の位置と大きさを示す場所情報と、領域内の情報内容を示す内容情報を対応させたインデックスデータを伝送することにより、受信側において画像データを１ページ単位で表示する通常の表示処理だけでなく、必要な領域だけを選別して表示、あるいは保持したりするなどの高度な受信処理が可能となる情報伝送方式である。
【０００３】
【従来の技術】
従来より、２値画像を圧縮符号化したファクシミリ画像を伝送するファクシミリ放送や、自然画像を圧縮符号化した静止画像を伝送する静止画放送では、送信側は各画像に番組番号やページ番号などを付けて伝送し、受信側はこれらの番組番号やページ番号より必要な情報を選別している。
【０００４】
【発明が解決しようとする課題】
ところで、上述した従来のファクシミリ放送や静止画放送などの画像データを提供する形態の放送にあっては、各画像に付加された番組番号やページ番号により必要とする情報の選別を行うようにしているが、ページの画像データのうちの必要な領域だけを選別して表示したり、保存したりするようなことは出来なかった。
【０００５】
すなわち、２値画像を圧縮符号化して伝送するファクシミリ放送では、例えばＡ４サイズの画像を、自然画像を圧縮符号化して伝送する静止画像放送ではＮＴＳＣサイズやハイビジョンサイズの画像を、それぞれ１ページの画像データとして圧縮符号化して伝送する。例えば、新聞紙面をスキャナーやカメラによって入力してハイビジョン静止画像データにまとめて符号化する場合を想定する。この場合、ハイビジョン静止画像は様々な情報内容で構成されているが、受信機では１ページの画像データとして処理され、特定の情報内容だけを選別して表示したり保存したりすることはできない。また、受信者が情報を選別するには、画像を見て必要か必要でないかを判別することになる。
【０００６】
静止画像上で特定の情報内容の領域毎にその情報内容を示すインデックスデータ（例えば文字／画像の識別情報、情報内容を表すタイトル、情報内容が属するジャンルの情報、情報内容を検索できるキーワードなど）が同時に送られていれば、１ページの画像データとして処理するだけではなく、必要な領域だけを抽出して保存したり、複数のページに散在する同一のジャンルあるいはキーワードを持つ領域だけを選別し、同一ページに編集合成して表示したりするなど、画像データだけを伝送する場合と比べて受信機側における高度な表示処理が可能になる。このことはファクシミリ放送の場合も同様である。
【０００７】
本発明は上記事情に鑑みてなされたものであり、その目的は、ページの画像データのうちの必要な領域だけを選別して表示したり、保存したりすることができる情報伝送用送信装置及び情報伝送用受信装置を提供することにある。
【０００８】
【課題を解決するための手段】
上記目的を達成のために、請求項１記載の発明による情報伝送用送信装置は、１ページ単位の画像データを出力する画像データ出力手段と、この画像データ出力手段から出力される画像データを情報内容が異なる領域に分割し、分割された各領域の位置および大きさを示す場所情報とその領域内の情報内容を示す内容情報を対応させたインデックスデータを生成するインデックスデータ生成手段と、前記画像データ出力手段から出力される画像データに対して前記インデックスデータ生成手段にて生成されたインデックスデータを付加して番組データを作成する番組データ作成手段と、各画像データに対するインデックスデータと受信側での番組識別を可能とする番組番号を対応させて纏めることで番組表データを作成する番組表データ作成手段と、この番組表データ作成手段により作成された番組表データと前記番組データ作成手段により作成された番組データとを受信側に対して送出するデータ送出手段と、を備え、前記インデックスデータ生成手段は、情報内容を表わすタイトル、情報内容の属するジャンルまたは情報内容を検索できるキーワードを内容情報としてインデックスデータを生成することを特徴とする。
【０００９】
この構成によれば、画像データ内の特定の情報内容の領域毎に、その情報内容を示すインデックスデータが付加されて受信側に対して伝送される。したがって、受信側がインデックスデータに基づいて画像データのうちの必要な領域だけを選別して表示することにより、受信者の必要な情報を的確に選別することが可能な情報サービスを実現することができる。また、情報内容を表すタイトル、情報内容が属するジャンルの情報または情報内容を検索できるキーワードを各領域内の情報内容を示す内容情報としたので、受信者は容易に所望とする情報を選別することができる。
【００１０】
請求項２記載の発明による情報伝送用受信装置は、ユーザーによって指定された番組番号の番組データを入力して画像データとインデックスデータとを分離するデータ分離手段と、このデータ分離手段により分離された画像データを記憶する第１の記憶手段と、この第１の記憶手段に記憶された画像データの各領域のうちの選別されたものを記憶する第２の記憶手段と、前記データ分離手段により分離された画像データの各領域がユーザーによって指定された内容情報に該当する領域であるか否かを前記データ分離手段により分離されたインデックスデータの内容情報に基づいて判定し、該当するものと判断すると、その領域を前記第２の記憶手段に書き込むとともに表示する制御手段と、を備え、前記制御手段は、複数ページの画像データにて散在する同一の情報内容を持つ領域だけを選別して同一ページに編集合成して表示することを特徴とする。
【００１１】
この構成によれば、送信側から伝送されてきた番組データから画像データとインデックスデータとが分離された後、インデックスデータの内容情報に基づいて画像データの各領域がユーザーによって指定された内容情報に該当する領域であるか否かの判定が行われ、該当する領域であればそれが表示される。したがって、受信者の必要な情報を的確に選別することが可能な情報サービスを実現することができる。また、複数ページに散在する同一の内容情報（タイトル、ジャンルあるいはキーワード）を持つ領域だけを選別して同一ページに編集合成して表示したり、あるいは保存したりするなどの高度な受信処理が可能になるから、受信者の必要な情報を的確に選別することが可能な情報サービスを実現することができる。
【００２０】
【発明の実施の形態】
以下、図面を参照して本発明の実施の形態について説明する。
【００２１】
＜情報伝送用送信装置１００＞
図１は本発明に係る情報伝送用送信装置の実施の形態の構成を示すブロック図である。なお、この実施の形態では、画像データがハイビジョンサイズの静止画の場合を例として説明する。
【００２２】
この図において、情報伝送用送信装置１００は、画面制作部１、画像データ圧縮符号化部２、インデックス生成部３、インデックス符号化部４、画像データ・インデックスデータ合成部５、インデックスデータ合成部６及びデータ送出部７を有して構成されている。
【００２３】
画面制作部１は、テキスト入力・編集、静止画入力・編集などの機能により、ハイビジョンサイズの静止画（以下ハイビジョンサイズ静止画）を制作する。図２はハイビジョンサイズの静止画像の一例を示す図であり、文字、写真、図およびグラフで構成されている。このハイビジョンサイズの静止画像は１ページの画像データとして、画像データ圧縮符号化部２において例えばＪＰＥＧのベースライン規格に基づいて圧縮符号化される。
【００２４】
インデックス生成部３は、画面制作部１で作成されたハイビジョンサイズ静止画を領域分離法により情報内容が異なる領域毎に矩形状に分割する。図３は領域指定が行われた状態を示す図である。
【００２５】
分割した各領域の画像上での位置は、画面左上を原点（０，０）として水平（Ｘ）・垂直（Ｙ）の二次元座標系により、領域の左上の始点座標（Ｘ，Ｙ）、領域の水平方向および垂直方向の大きさを（△ｘ，△ｙ）で指定する。図４は図３に示すようにして指定された領域を分割した状態を示す図である。この場合、画面のレイアウト上、例えば段組みなどのために同じ情報内容であっても同図に示すように領域２と領域３、領域４と領域５のように複数の領域に分断される場合がある。
【００２６】
このようにして分割された領域毎の情報内容を識別するためのインデックスは図５に示すようになり、例えば１ページ目においては次のようになる。
【００２７】
領域１：領域の始点座標が（Ｘ1 ，Ｙ1 ）、領域の大きさが（ｘ1 ，ｙ1 ）、接続領域無し、タイトルが政治改革、ジャンルが政治、キーワードが政治改革、国会・・・
領域２：領域の始点座標が（Ｘ2 ，Ｙ2 ）、領域の大きさが（ｘ2 ，ｙ2 ）、接続領域が領域３、タイトルがＵＮＴＡＣ、ジャンルが国際、キーワードがＵＮＴＡＣ、明石代表・・・
領域３：領域の始点座標が（Ｘ3 ，Ｙ3 ）、領域の大きさが（ｘ3 ，ｙ3 ）、接続領域無し
領域４：領域の始点座標が（Ｘ4 ，Ｙ4 ）、領域の大きさが（ｘ4 ，ｙ4 ）、接続領域が領域５、タイトルが景気回復、ジャンルが経済、キーワードが景気回復、規制緩和・・・
領域５：領域の始点座標が（Ｘ5 ，Ｙ5 ）、領域の大きさが（ｘ5 ，ｙ5 ）、接続領域無し
領域６：領域の始点座標が（Ｘ6 ，Ｙ6 ）、領域の大きさが（ｘ6 ，ｙ6 ）、接続領域無し、タイトルがＰＫＯ、ジャンルが国際、キーワードがＰＫＯ、国連・・・
これら画面内における各領域についてのタイトル、ジャンルおよびキーワードは、文字認識によりテキストデータを得て、そのテキストデータから自動インデキシングにより割り当てられる。なお、接続領域は、上述したように同一内容の情報が複数の領域に分割された場合に、情報内容が同一である領域を指定するための属性である。
【００２８】
このようにして作成されたインデックスがインデックス符号化部４に供給され、符号化されてインデックスデータが生成され、画像データ・インデックスデータ合成部５とインデックスデータ合成部６とに出力される。
【００２９】
画像データ・インデックスデータ合成部５は、画像データ圧縮符号化部２で圧縮符号化された画像データに対して、受信側で番組識別ができるように管理データ（例えば番組番号など）を付加するとともに、インデックス符号化部４で符号化されたインデックデータを付加して番組データを作成する。放送する番組毎にこのような番組データが作成される。
【００３０】
インデックスデータ合成部６は、各画像データに対するインデックスデータを番組番号と対応させて纏めて番組表データを作成する。
【００３１】
データ送出部７は、画像データ・インデックスデータ合成部５からの全番組データと、インデックスデータ合成部６からの番組表データとを、例えば放送衛星（図示略）に向けて送信し、衛星放送のデータチャンネルを通して放送する。この場合、受信機側で番組データと番組表データとを識別できるように異なるＩＤのパケットで伝送を行う。
【００３２】
＜情報伝送用送信装置１００の動作＞
このような構成において、画面制作部１のテキスト入力・編集、静止画入力・編集などの機能により作成されたハイビジョンサイズの静止画が画像データ圧縮符号化部２にて圧縮符号化される一方、インデックス生成部３にて情報内容が異なる領域毎に分割されるとともに、分割された各領域の情報内容を識別するためのインデックスが生成される。インデックス生成部３にて生成されたインデックスがインデックス符号化部４にて符号化されてインデックスデータが生成される。他方、画像データ圧縮符号化部２からの画像データが画像データ・インデックスデータ合成部５に供給されることにより、インデックス符号化部４からのインデックスデータが加えられるとともに、管理データ（例えば番組番号）が付加されて番組データが作成される。この番組データは放送される番組毎に作成される。インデックス符号化部４からのインデックスがインデックスデータ合成部６に供給されることにより番組表データが作成される。この番組表データと画像データ・インデックスデータ合成部５からの全番組データとがデータ送出部７から衛星放送のデータチャンネルを通して放送される。
【００３３】
＜情報伝送用受信装置２００＞
図６は本発明に係る情報伝送用受信装置の実施の形態の表示部の構成を示すブロック図である。なお、この図に示す表示部以外には、電波を受信するためのチューナや映像信号処理などの復調部、表示メモリのデータを表示させるディスプレイ部、番組番号やジャンルを指定したりするリモコンなどのユーザーインタフェース部などが設けられているが、それらの部分は省略されている。
【００３４】
この図において、情報伝送用受信装置２００は、データ分離部１０、画像データ復号部１１、画像メモリ１２、表示メモリ１３、メモリ制御部１４、インデックスデータ復号部１５およびインデックスデータ管理部１６を有して構成されている。
【００３５】
データ分離部１０は、上記復調部で受信された全番組データのうち、リモコンで指定された番組の番組データを画像データとインデックスデータに分離する。
【００３６】
画像データ復号部１１は、データ分離部１０で分離された画像データを復号して画像メモリ１２に書き込む。この場合、画像メモリ１２に書き込まれる静止画像は上述した図２に示す静止画像に相当する。
【００３７】
インデックスデータ復号部１５は、データ分離部１０で分離されたインデックスデータを復号する。インデックスデータ管理部１６は画像メモリ１２に書き込まれた画像について、領域別のインデックスデータを管理するものである。この領域別のインデックスデータの管理は、図７に示すように、領域の始点座標と大きさについて行われる。この図における各領域の始点座標と大きさは次のようになる。
【００３８】
領域１：始点座標が（Ｘ1 ，Ｙ1 ）、大きさが（ｘ1 ，ｙ1 ）
領域２：始点座標が（Ｘ2 ，Ｙ2 ）、大きさが（ｘ2 ，ｙ2 ）
領域３：始点座標が（Ｘ3 ，Ｙ3 ）、大きさが（ｘ3 ，ｙ3 ）
領域４：始点座標が（Ｘ4 ，Ｙ4 ）、大きさが（ｘ4 ，ｙ4 ）
領域５：始点座標が（Ｘ5 ，Ｙ5 ）、大きさが（ｘ5 ，ｙ5 ）
領域６：始点座標が（Ｘ6 ，Ｙ6 ）、大きさが（ｘ6 ，ｙ6 ）
表示メモリ１３は、画像メモリ１２に書き込まれた静止画像のうちの受信者が必要とする領域を編集合成するための記憶に使用される。メモリ制御部１４は、画像メモリ１２に書き込まれた静止画像のうちのインデックデータ管理部１６で指定される領域を表示メモリ１３にコピーする。インデックスデータ管理部１６は、インデックスデータ復号部１５からのインデックスデータに基づいて、受信者が指定したジャンルの領域を画像メモリ１２から表示メモリ１３へコピーする制御を行う。例えば、受信者が「国際」のジャンルを指定したとすると、インデックスデータ管理部１６は画像メモリ１２に書き込まれた静止画像の「国際」の領域のみを表示メモリ１３へコピーするための情報をメモリ制御部１４に供給する。この場合、インデックスデータ管理部１６はメモリ制御部１４に対して「国際」の領域のコピー元アドレスとコピー領域の大きさを供給するとともにコピー開始信号を供給する。
【００３９】
メモリ制御部１４は、コピー元アドレスとコピー領域の大きさを入力し、続けてコピー開始信号を入力すると、画像メモリ１２からインデックスデータ管理部１６で指定された「国際」の領域を読み出し、コピー先の表示メモリ１３のアドレスを指定して書き込む。この場合、コピー元アドレスは領域の始点座標（Ｘ，Ｙ）に対応し、コピー領域の大きさは（ｘ，ｙ）に対応する。また、コピー先のアドレスの初期値は（ＤＸ1 ，ＤＹ1 ）である。領域の書き込みを行った後、コピー終了信号を出力する。
【００４０】
インデックスデータ管理部１６は、画像メモリ１２から表示メモリ１３に「国際」の領域をコピーする制御を行った後にメモリ制御部１４からコピー終了信号を入力すると、今書き込みを行った領域に接続する領域があるか否かを判定する。この場合、接続する領域があると判断すると、次のコピー先のＹ軸アドレスと、今書き込みを行った領域に接続する領域のＹ軸方向の大きさｙとを加算し、その加算値がＹ軸方向の上限値（ハイビジョンサイズでは「１９２０」）を超えるか否かを判定する。この判定において、加算値が上限値を超えないと判断すると、今書き込みを行った領域に接続する領域を、現在のアドレスに続くアドレスにコピーする。
【００４１】
これに対して、加算値が上限値を超えると判断すると、コピー先のアドレスを次の段の先頭アドレスにして、そのアドレスに今書き込みを行った領域に接続する領域を書き込む。ここで、例えば領域２には領域３が接続されいるが、領域３のＹ軸方向の大きさｙと次のコピー先のＹ軸アドレスとを加算した値が上限値以下であるので、コピー後の状態は図８に示すようになる。以上の動作が、リモコンで指定された番組の全ページの画像に対して繰り返し行われ、図９に示すように「国際」に関する情報の全てがコピーされる。
【００４２】
＜情報伝送用受信装置２００の動作＞
図１０は情報伝送用受信装置２００の動作を示すフローチャートである。このフローチャートは、メモリ制御部１４とインデックスデータ管理部１６を一つの制御部とした場合の動作を示すものである。
【００４３】
まず、ステップＳ１０でジャンルの指定が行われたか否かを判定する。この判定において、ジャンル指定が行われていないと判断するとこのステップを繰り返し、ジャンル指定が行われたと判断するとステップＳ１２に進む。この場合、ジャンルとして「国際」が指定されたものとする。
【００４４】
ジャンルの指定が行われて、ステップＳ１２に進むと、各レジスタｎ、ｍ、ｐを初期化する。そして、各レジスタの初期化を行った後、ステップＳ１４で最後のページであるか否かを判定する。この判定において、最後のページであると判断するとステップＳ１０に戻り、最後のページでないと判断するとステップＳ１６に進む。ステップＳ１６に進むと、領域ｎがジャンル指定された領域であるか否かを判定する。この場合、図５に示すように１ページ目の領域１はジャンルが「政治」であるので、ジャンル指定された領域でないことからステップＳ１８に進み、ｎレジスタの値を「１」だけ増加させてステップＳ１６に戻る。
【００４５】
ｎレジスタの値を「１」だけ増加させて領域２とした後、この領域２がジャンル指定された領域であるか否かを判定する。この場合、１ページ目の領域２はジャンルが「国際」であるので、ジャンル指定された領域であるからステップＳ２０に進み、領域２の始点座標と大きさを表示メモリ１３に書き込む。すなわち、コピー元アドレス（Ｘ2 ，Ｙ2 ）とコピー領域の大きさ（ｘ2 ，ｙ2 ）をコピー先アドレス（ＤＸ1 ，ＤＹ1 ）にコピーする。
【００４６】
次いで、ステップＳ２４で最後の領域であるか否かを判定する。この場合、領域２は最後の領域でないのでステップＳ２６に進み、ｎレジスタおよびｍレジスタの値をそれぞれ「１」だけ増加させる。この場合、ｎレジスタの値が「３」になり、ｍレジスタの値が「２」になる。ｎ、ｍレジスタの値を「１」だけ増加させた後、ステップＳ２８に進み、現在の領域に接続する領域があるか否かを判定する。この判定において、現在の領域に接続する領域があると判断するとステップＳ３０に進み、接続する領域がないと判断するとステップＳ１６に戻る。この場合、領域３が領域２に接続する領域であるので、ステップＳ３０に進み、コピー先のＹ軸アドレスＤＹ2 と領域３のＹ軸方向の大きさｙとを加算する。
【００４７】
コピー先のＹ軸アドレスＤＹ2 と領域３のＹ軸方向の大きさｙとを加算した後、ステップＳ３２で加算値がＹ軸方向の上限値（ハイビジョンサイズでは「１９２０」）を超えるか否かを判定する。この判定において、加算値が上限値を超えないと判断するとステップＳ２０に戻り、領域３の始点座標と大きさをコピー元アドレス（Ｘ3 ，Ｙ3 ）とコピー領域の大きさ（ｘ3 ，ｙ3 ）として、コピー先アドレス（ＤＸ2 ，ＤＹ2 ）にコピーする。
【００４８】
これに対して、コピー先のＹ軸アドレスＤＹ2 と領域３のＹ軸方向の大きさｙの加算値がＹ軸方向の上限値を超えるものと判断するとステップＳ３４に進み、ｍレジスタの値を「１」だけ増加させてステップＳ２０に戻る。ステップＳ２０に戻ると、領域３の始点座標と大きさをコピー元アドレス（Ｘ3 ，Ｙ3 ）とコピー領域の大きさ（ｘ3 ，ｙ3 ）として、コピー先アドレス（ＤＸ3 ，ＤＹ3 ）にコピーする。同様の処理が１ページの最後の領域６まで行われる。領域６の処理が行われると、ステップＳ２４からステップＳ３６に進み、ｐレジスタの値を「１」だけ増加させて、２ページとしてステップＳ１４に戻る。以後、全ページの画像に対して同様の処理繰り返し行われ、「国際」に関する情報の全てがコピーされる。
【００４９】
このように、この実施の形態では、情報伝送用送信装置１００は、１ページの画像データに、そのページの画像データ内の特定の情報内容の領域毎にその領域の位置と大きさを示す場所情報と、その情報内容を示すタイトル、ジャンルおよびキーワードとから構成されるインデックスデータを付けて伝送し、情報伝送用受信装置２００は、情報伝送用送信装置１００から送られてきたインデックスデータを参照してそのページの画像データのうちの必要な領域だけを選別して表示する。この場合、情報伝送用送信装置１００はインデックスデータを付加した画像データを複数ページ伝送し、情報伝送用受信装置２００は複数ページに散在する同一のジャンルあるはキーワードを持つ領域だけを選別し、同一ページに編集合成して表示する。
【００５０】
したがって、ページの画像データのうちの必要は領域だけを選別して表示したり、保存したりすることができるので、受信者の必要な情報を的確に選別することが可能な情報サービスを提供することができる。
【００５１】
なお、本発明は上記実施の形態に限らず、本発明の目的の範囲内で各種の実施の形態が可能である。具体的には、次のようにしても良い。
【００５２】
（イ）実施の形態では、ハイビジョンサイズの自然画像を圧縮符号化した静止画像に対する処理であったが、非圧縮画像の自然画像でも良い。
【００５３】
また、ＮＴＳＣサイズの静止画像や２値画像を圧縮符号化したファクシミリ画像（非圧縮画像を含む）に対する処理であっても構わない。
【００５４】
（ロ）実施の形態では、衛星放送データチャネルなどのディジタル伝送路を用いて、受信側で画面として表示する放送システムに適用した場合であったが、新聞や雑誌などをＮＴＳＣ方式やＭＵＳＥ方式による画像信号として伝送する放送システムに適用しても良い。
【００５５】
（ハ）実施の形態では、情報伝送用送信装置１００において、１ページの静止画像の領域の分割をインデックス生成部３が自動的に行ったが、人間がマウスなどのポインチングデバイスを用いて行っても良い。また、これらの組み合わせたものであっても良い。また、領域の形状も矩形状に限定されるものでなく、多角形や円などであっても良い。
【００５６】
（ニ）実施の形態では、情報伝送用送信装置１００において、画面内における各領域についてのタイトル、ジャンルおよびキーワードの入力に、文字認識によりテキストデータを得てそのテキストデータから自動インデキシングにより割り当てる方法を用いたが、キーボードから行う方法を用いても良い。
【００５７】
（ホ）実施の形態では、情報伝送用受信装置２００における処理をソフトウェアで行ったが、ハードウェアで行っても良い。
【００５８】
（ヘ）実施の形態では、情報伝送用受信装置２００において、特定のジャンル（「国際」）のものだけをコピーして表示する場合について説明したが、特定のタイトルやキーワードを持つ情報だけをコピーして表示することも勿論できる。
【００５９】
（ト）実施の形態では、情報伝送用受信装置２００において、特定のジャンルのものをコピーして表示するだけであったが、フロッピーディスクやハードディスク等の記憶装置に保存するようにしても良い。
【００６０】
【発明の効果】
以上説明したように、請求項１の発明によれば、画像データ内の特定の情報内容の領域毎に、その情報内容を示すインデックスデータを付加して受信側に対して伝送するので、受信側がインデックスデータに基づいて画像データのうちの必要な領域だけを選別して表示することにより、受信者の必要な情報を的確に選別したり、保存したりすることが可能な情報サービスを実現することができる。また、情報内容を表すタイトル、情報内容が属するジャンルの情報または情報内容を検索できるキーワードを各領域内の情報内容を示す内容情報としたので、受信者は容易に所望とする情報を選別したり、保存したりすることができる。
【００６１】
請求項２の発明によれば、送信側から伝送されてきた番組データから画像データとインデックスデータとを分離した後、インデックスデータの内容情報に基づいて画像データの各領域がユーザーによって指定された内容情報に該当する領域であるか否かを判定し、該当する領域であればそれを表示するので、受信者の必要な情報を的確に選別したり、保存したりすることが可能な情報サービスを実現することができる。また、複数ページに散在する同一の情報内容を持つ領域だけを選別して同一ページに編集合成し、表示するので、複数ページに散在する同一の内容情報を持つ領域だけを選別して同一ページに編集合成して表示したり、あるいは保存したりするなどの高度な受信処理が可能になるから、受信者の必要な情報を的確に選別したり、保存したりすることが可能な情報サービスを実現することができる。
【図面の簡単な説明】
【図１】本発明に係る情報伝送用送信装置の実施の形態の構成を示すブロック図である。
【図２】ハイビジョンサイズの静止画像の一例を示す図である。
【図３】ハイビジョンサイズの静止画像の領域指定例を示す図である。
【図４】ハイビジョンサイズの静止画面の領域分割例を示す図である。
【図５】情報内容の異なる領域に対するインデックス例を示す図である。
【図６】本発明に係る情報伝送用受信装置の実施の形態の構成を示すブロック図である。
【図７】領域別のインデックスデータのうちの領域の始点座標と大きさの管理例を示す図である。
【図８】「国際」のジャンルに属する領域２および領域３が画像メモリ２にコピーされた様子を示す図である。
【図９】「国際」のジャンルに属する全領域が表示メモリにコピーされた様子を示す図である。
【図１０】同実施の形態の情報伝送用受信装置の動作を示すフローチャートである。
【符号の説明】
１  画面制作部
２  画像データ圧縮符号化部
３  インデックス生成部
４  インデックス符号化部
５  画像データ・インデックスデータ合成部
６  インデックスデータ合成部
７  データ送出部
１０  データ分離部
１１  画像データ復号部
１２  画像メモリ
１３  表示メモリ
１４  メモリ制御部
１５  インデックスデータ復号部
１６  インデックスデータ管理部
【図１】
0003764197.tif 000002
【図２】
0003764197.tif 000003
【図３】
0003764197.tif 000004
【図４】
0003764197.tif 000005
【図５】
0003764197.tif 000006
【図６】
0003764197.tif 000007
【図７】
0003764197.tif 000008
【図８】
0003764197.tif 000009
【図９】
0003764197.tif 000010
【図１０】
0003764197.tif 000011